(57)【要約】【課題】放送データの受信と通信データの送受信とを同時にすることのできる低コストな受信装置を提供する。【解決手段】複数の受信部で受信した放送データの誤り率に基づき、それぞれの受信部で受信した放送データを合成してから復号して得られる情報の品質が予め定められた基準を満たすか否かを判断するための判定値を算出する。判定値が予め定められたしきい値を超えないときには、少なくとも１つの受信部に対して通信データを受信する指示を与え、残りの受信部に対しては放送データを受信する指示を与える。【選択図】図１
2011023963.tif 000002
【特許請求の範囲】
【請求項１】
放送データと通信データとを指示に応じて受信する少なくとも２つの受信手段と、
それぞれの前記受信手段で受信された前記放送データの誤り率を、それぞれの前記受信手段に対応させて算出する算出手段と、
前記算出手段によって算出されたそれぞれの前記誤り率に基づき判定値を算出する判定値算出手段と、
前記判定値が予め定められたしきい値を超えないとき、前記受信手段の中で、少なくとも最も低い前記誤り率に対応する前記受信手段に前記放送データを受信する指示を与える放送データ受信指示手段と、
前記判定値が予め定められたしきい値を超えないとき、前記受信手段の少なくとも１つに対し、前記通信データを受信する指示を与える通信データ受信指示手段とを備える、受信装置。
【請求項２】
前記放送データ受信指示手段は、低い順番に予め定められた数の前記誤り率に対応する前記受信手段に前記放送データを受信する指示を与える、請求項１に記載の受信装置。
【請求項３】
前記判定値算出手段は、前記算出手段によって算出されたそれぞれの前記誤り率を加算した前記判定値を算出する、請求項１に記載の受信装置。
【請求項４】
前記判定値算出手段は、前記算出手段によって算出されたそれぞれの前記誤り率の平均値を前記判定値として算出する、請求項１に記載の受信装置。
【請求項５】
前記算出手段は、前記放送データ受信指示手段から指示を与えられたそれぞれの前記受信手段で受信された前記放送データの誤り率を、それぞれの当該受信手段に対応させて算出し、
前記放送データ受信指示手段は、前記判定値が前記しきい値を超えるとき、全ての前記受信手段に対して前記放送データを受信する指示を与える、請求項１に記載の受信装置。
【請求項６】
前記通信データ受信指示手段は、前記判定値が前記しきい値を超えないとき、少なくとも最も高い前記誤り率に対応する前記受信手段に対して前記通信データを受信する指示を与える、請求項１に記載の受信装置。
【発明の詳細な説明】
【技術分野】
【０００１】
本発明は、受信装置に関し、より特定的には、放送データと通信データとを受信する受信装置に関する。
【背景技術】
【０００２】
近年、自動車などの移動体（以下、車両と称する）には、テレビのデジタル放送番組を搭乗者が視聴するためのテレビシステムが搭載されている。このようなテレビシステムの一例として、例えば、特許文献１に記載の車両用放送受信装置（以下、従来技術と称する）が挙げられる。
【０００３】
従来技術は、２つのチューナーを備えている。そして、従来技術では、搭乗者が一方のチューナーを用いてあるチャンネルのデジタル放送番組を受信して視聴しているときに、他方のチューナーを用いて搭乗者が視聴する可能性の高いチャンネルのデジタル放送番組のデータ放送を受信しておく。これにより、搭乗者が視聴するデジタル放送番組のチャンネルを一方のチャンネルから他方のチャンネルに切り替えたときに、切り替え後のチャンネルのデジタル放送番組のデータ放送を速やかに搭乗者に提供することができる。
【先行技術文献】
【特許文献】
【０００４】
【特許文献１】特開２００８−３４９６９号公報
【発明の概要】
【発明が解決しようとする課題】
【０００５】
しかしながら、上記従来技術では、以下に示すような課題を有する。すなわち、デジタル放送番組の放送データを受信する周波数帯域と、インターネット通信をするための通信データを受信するための周波数帯域とは互いに異なる。したがって、放送データと、通信データとの受信を同時に車両でするためには、上述したテレビシステムに加えて、インターネット通信をするための通信システムをさらに車両に追加して搭載する必要がある。このため、放送データと、通信データとの受信を同時に車両でするためには、コストが増大してしまう。
【０００６】
それ故に、本発明は、放送データの受信と通信データの受信とを同時にすることのできる低コストな受信装置を提供することを目的とする。
【課題を解決するための手段】
【０００７】
本発明は、上記目的を達成するために以下に示すような特徴を有する。
第１の発明は、放送データと通信データとを指示に応じて受信する少なくとも２つの受信手段と、それぞれの受信手段で受信された放送データの誤り率を、それぞれの受信手段に対応させて算出する算出手段と、算出手段によって算出されたそれぞれの誤り率に基づき判定値を算出する判定値算出手段と、判定値が予め定められたしきい値を超えないとき、受信手段の中で、少なくとも最も低い誤り率に対応する受信手段に放送データを受信する指示を与える放送データ受信指示手段と、判定値が予め定められたしきい値を超えないとき、受信手段の少なくとも１つに対し、通信データを受信する指示を与える通信データ受信指示手段とを備える。
【０００８】
第２の発明は、上記第１の発明に従属する発明であって、放送データ受信指示手段は、低い順番に予め定められた数の誤り率に対応する受信手段に放送データを受信する指示を与える。
【０００９】
第３の発明は、上記第１の発明に従属する発明であって、判定値算出手段は、算出手段によって算出されたそれぞれの誤り率を加算した判定値を算出する。
【００１０】
第４の発明は、上記第１の発明に従属する発明であって、判定値算出手段は、算出手段によって算出されたそれぞれの誤り率の平均値を判定値として算出する。
【００１１】
第５の発明は、上記第１の発明に従属する発明であって、算出手段は、放送データ受信指示手段から指示を与えられたそれぞれの受信手段で受信された放送データの誤り率を、それぞれの当該受信手段に対応させて算出し、放送データ受信指示手段は、判定値がしきい値を超えるとき、全ての受信手段に対して放送データを受信する指示を与える。
【００１２】
第６の発明は、上記第１の発明に従属する発明であって、通信データ受信指示手段は、判定値がしきい値を超えないとき、少なくとも最も高い誤り率に対応する受信手段に対して通信データを受信する指示を与える。
【発明の効果】
【００１３】
上記第１の発明によれば、放送データ受信指示手段から指示を与えられた受信手段で放送データを受信し、通信データ受信指示手段から指示を与えられた受信手段で通信データを受信するので、１つの低コストな受信装置で放送データと通信データとの受信を同時に並行できる。
【００１４】
上記第２の発明によれば、最も低い誤り率を含む予め定められた数の誤り率に対応する受信手段で放送データを受信することによって、基準を満たす品質の情報を当該放送データから得ることができる。
【００１５】
上記第３の発明によれば、それぞれの受信手段で受信された放送データの誤り率を加算して判定値を算出できる。
【００１６】
上記第４の発明によれば、それぞれの受信手段で受信された放送データの誤り率の平均値を判定値として算出できる。
【００１７】
上記第５の発明によれば、算出した判定値がしきい値を超え、基準を満たす品質の情報を放送データから得られないと判断したときには、最も高い品質の情報を得られる受信データを受信できる。
【００１８】
上記第６の発明によれば、基準を満たす品質の情報を放送データから得ながら、通信データの受信を並行できる。
【図面の簡単な説明】
【００１９】
【図１】第１の実施形態に係る受信装置の構成を示すブロック図
【図２】第１の実施形態に係る切替処理部の処理を示すフローチャート
【図３】第１の実施形態に係る切替処理部の処理を示すフローチャート
【図４】第１の実施形態に係る切替処理部の処理を示すフローチャート
【図５】第１の実施形態に係る切替処理部の処理を示すフローチャート
【図６】第１の実施形態に係る切替処理部の状態の遷移を示す状態遷移図
【図７】第１の実施形態に係る切替処理部の状態の遷移条件を示す図
【図８】ＤＴＶデータの送信形態の一例を示す図
【図９Ａ】ＤＴＶデータの送信範囲の一例を示す図
【図９Ｂ】ＤＴＶデータの送信範囲の一例を示す図
【発明を実施するための形態】
【００２０】
（第１の実施形態）
図１は、本発明の第１の実施形態に係る受信装置１の構成を示すブロック図である。以下、図１を参照しながら本実施形態に係る受信装置１の構成について説明する。尚、本実施形態の説明では、受信装置１が自車両に搭載される場合を一例として説明する。
【００２１】
本実施形態に係る受信装置１は、第１のフロントエンド処理部１０１〜第４のフロントエンド処理部１０４と、切替処理部１０５と、放送データ処理部１０６と、通信データ処理部１０７とを備える。
【００２２】
第１のフロントエンド処理部１０１〜第４のフロントエンド処理部１０４のそれぞれは、インターネット通信などをするための通信データの受信と、放送番組の放送データの受信とを後述する切替処理部１０５から与えられる指示に応じて切り替える。そして、第１のフロントエンド処理部１０１〜第４のフロントエンド処理部１０４のそれぞれは、通信データを受信する指示（以下、通信データ受信指示と称する）を切替処理部１０５から与えられたとき、通信データを受信データとして逐次受信する。一方、第１のフロントエンド処理部１０１〜第４のフロントエンド処理部１０４のそれぞれは、放送データを受信する指示（以下、放送データ受信指示と称する）を切替処理部１０５から与えられたとき、放送データを受信データとして逐次受信する。第１のフロントエンド処理部１０１〜第４のフロントエンド処理部１０４のそれぞれが、切替処理部１０５から与えられる放送データ受信指示には、放送データに含まれる放送番組のチャンネルの指示も含まれる。そして、第１のフロントエンド処理部１０１〜第４のフロントエンド処理部１０４のそれぞれは、逐次受信する受信データを切替処理部１０５に逐次取得させる。
【００２３】
より詳細には、第１のフロントエンド処理部１０１〜第４のフロントエンド処理部１０４のそれぞれは、チューナーと復調部とを少なくとも含む。チューナーは、切替処理部１０５から与えられる指示に応じて受信データを受信するときの受信周波数を変更することができる。チューナーが受信できる受信周波数は、２つの受信周波数帯域に大別することができる。１つ目の受信周波数帯域は放送データを受信するときの受信周波数帯域であり、２つ目の受信周波数帯域はインターネット通信のための通信データを受信するときの受信周波数帯域である。さらに、放送データを受信するときの受信周波数帯域には、受信する放送番組のチャンネルに対応する受信周波数が１以上含まれる。
【００２４】
第１のフロントエンド処理部１０１〜第４のフロントエンド処理部１０４のそれぞれは、通信データ受信指示を切替処理部１０５から与えられたとき、チューナーの受信周波数帯域を、通信データを受信するときの受信周波数帯域に設定して、チューナーに通信データを受信させる。また、第１のフロントエンド処理部１０１〜第４のフロントエンド処理部１０４のそれぞれは、放送データ受信指示を切替処理部１０５から与えられたとき、チューナーの受信周波数帯域を、放送データを受信するときの受信周波数帯域に設定し、さらに、受信周波数を放送データ受信指示に含まれる放送番組のチャンネルに対応する受信周波数に設定して、チューナーに放送データを受信させる。
【００２５】
第１のフロントエンド処理部１０１〜第４のフロントエンド処理部１０４のそれぞれに含まれる復調部は、チューナーによって受信された受信データを復調する。より詳細には、チューナーによって受信される受信データは、通信データ、及び放送データなどの種類に対応する変調方式で変調されている。第１のフロントエンド処理部１０１〜第４のフロントエンド処理部１０４のそれぞれに含まれる復調部は、チューナーによって逐次受信される受信データの種類に対応する変調方式を認識し、認識した変調方式に対応する復調方式で復調した受信データを切替処理部１０５に逐次取得させる。
【００２６】
また、第１のフロントエンド処理部１０１〜第４のフロントエンド処理部１０４のそれぞれは、放送データを受信データとして受信する場合、受信した放送データの誤り率を算出する。第１のフロントエンド処理部１０１〜第４のフロントエンド処理部のそれぞれは、受信した放送データの誤り率をそれぞれのフロントエンド処理部に対応する誤り率として算出する。第１のフロントエンド処理部１０１〜第４のフロントエンド処理部のそれぞれは、算出した誤り率を放送データと共に切替処理部１０５に逐次取得させる。より具体的には、第１のフロントエンド処理部１０１〜第４のフロントエンド処理部１０４のそれぞれは、復調部で復調することによって、予め定められた情報量の情報を２値の数列で示すフレームで構成されるデジタル信号となる受信データをチューナーで受信する。この場合、第１のフロントエンド処理部１０１〜第４のフロントエンド処理部１０４のそれぞれは、チューナーで逐次受信される受信データを復調部でフレームに逐次復調する。第１のフロントエンド処理部１０１〜第４のフロントエンド処理部１０４のそれぞれは、１つのフレームを復調する度に、復調したフレームの誤り率を従来周知の手法で算出する。そして、第１のフロントエンド処理部１０１〜第４のフロントエンド処理部１０４のそれぞれは、復調したフレームで構成される放送データと共に当該フレームの誤り率を切替処理部１０５に逐次取得させる。
【００２７】
尚、第１のフロントエンド処理部１０１〜第４のフロントエンド処理部１０４のそれぞれが、誤り率を算出するために用いる手法には、ＣＲＣ（Cyclic Redundancy Check）、及びパリティ法などが一例として挙げられる。また、誤り率は、１つのフレームのビット数に対して、誤りであると判断されたビット数の占める割合であってもよい。
【００２８】
切替処理部１０５は、第１のフロントエンド処理部１０１〜第４のフロントエンド処理部１０４のそれぞれから復調された放送データ、又は通信データを受信データとして逐次取得する。切替処理部１０５は、第１のフロントエンド処理部１０１〜第４のフロントエンド処理部１０４のいずれかから放送データを受信データとして取得するときには、当該放送データの誤り率も取得する。切替処理部１０５は、取得した放送データの誤り率に基づいて、放送データ処理部１０６で得られる情報の品質を判断し、第１のフロントエンド処理部１０１〜第４のフロントエンド処理部１０４の中から放送データ受信指示、又は通信データ受信指示を与えるフロントエンド処理部を決定する。そして、切替処理部１０５は、取得した放送データを放送データ処理部１０６に取得させ、取得した通信データを通信データ処理部１０７に取得させる。切替処理部１０５の処理の詳細な説明については後述する。
【００２９】
放送データ処理部１０６は、切替処理部１０５から取得させられる放送データを取得する。放送データ処理部１０６が切替処理部１０５から取得する放送データは、予め定められた手法で符号化されている場合がある。放送データ処理部１０６は、符号化された放送データを取得したとき、取得した放送データを符号化するときの手法に対応する手法で復号する。そして、放送データ処理部１０６は、復号した放送データから得られる番組の画像や音声などの情報を図示しない表示部、及び図示しない音声出力部などを用いて自車両の搭乗者に伝える。また、放送データ処理部１０６は、切替処理部１０５が複数のフロントエンド処理部から取得した放送データのそれぞれを当該切替処理部１０５から取得する場合がある。この場合、放送データ処理部１０６は、従来周知の技術を用いて、複数の放送データを合成してから、合成した放送データを復号する。放送データを合成してから復号することによって、放送データ処理部１０６は、復号された放送データから得られる画像の画質、及び音声の音質などの情報の品質を向上させることができる。
【００３０】
通信データ処理部１０７は、切替処理部１０５から取得した通信データを図示しない記憶部に記憶させたり、取得した通信データによって示される情報を図示しない表示部、又は図示しない音声出力部を用いて自車両の搭乗者に伝えたりする。
【００３１】
以上が、本実施形態に係る構成の説明である。次に、図２〜図５にそれぞれ示すフローチャートを参照しながら、本実施形態に係る切替処理部１０５の処理を詳細に説明する。
【００３２】
まず、図２のフローチャートに示す処理について説明する。尚、図２のフローチャートに示す処理は、例えば、自車両のイグニッションスイッチがオンにされたときなどに開始されるものとする。
【００３３】
ステップＳ１０１において、切替処理部１０５は、後述する待機状態処理をする。切替処理部１０５は、ステップＳ１０１において待機状態処理を完了すると、ステップＳ１０２へ処理を進める。
【００３４】
ステップＳ１０２において、切替処理部１０５は、後述する低感度状態に遷移するか否かを判断する。具体的には、切替処理部１０５は、ステップＳ１０２において、後述する低感度状態遷移フラグが図示しない記憶部に記憶されているか否かを判断する。切替処理部１０５は、ステップＳ１０２において、低感度状態遷移フラグが図示しない記憶部に記憶されているとき、低感度状態に遷移すると判断して、ステップＳ１０３へ処理を進める。一方、切替処理部１０５は、ステップＳ１０２において、低感度状態遷移フラグが図示しない記憶部に記憶されていないとき、低感度状態に遷移しないと判断して、ステップＳ１０４へ処理を進める。
【００３５】
ステップＳ１０３において、切替処理部１０５は、後述する低感度状態処理をする。切替処理部１０５は、ステップＳ１０３において低感度状態処理を完了すると、ステップＳ１０４へ処理を進める。
【００３６】
ステップＳ１０４において、切替処理部１０５は、図示しない操作部の状態を検知して、搭乗者が受信装置１を待機状態にする指示を与えているか否かを判断する。切替処理部１０５は、ステップＳ１０４において、搭乗者が待機状態にする指示を与えていると判断したとき、ステップＳ１０１へ処理を戻す。一方、切替処理部１０５は、ステップＳ１０４において、待機状態にする指示を与えられていないと判断したとき、ステップＳ１０５へ処理を進める。
【００３７】
ステップＳ１０５において、切替処理部１０５は、後述する高感度状態に遷移するか否かを判断する。具体的には、切替処理部１０５は、ステップＳ１０５において、後述する高感度状態遷移フラグが図示しない記憶部に記憶されているか否かを判断する。切替処理部１０５は、ステップＳ１０５において、高感度状態遷移フラグが図示しない記憶部に記憶されているとき、高感度状態に遷移すると判断してステップＳ１０６へ処理を進める。一方、切替処理部１０５は、ステップＳ１０５において、高感度状態遷移フラグが図示しない記憶部に記憶されていないとき、高感度状態に遷移しないと判断してステップＳ１０７へ処理を進める。
【００３８】
ステップＳ１０６において、切替処理部１０５は、後述する高感度状態処理をする。切替処理部１０５は、ステップＳ１０６において、高感度状態処理を完了すると、ステップＳ１０７へ処理を進める。
【００３９】
ステップＳ１０７において、切替処理部１０５は、ステップＳ１０４と同様に、図示しない操作部の状態を検知して、搭乗者が受信装置１を待機状態にする指示を与えているか否かを判断する。切替処理部１０５は、ステップＳ１０７において、搭乗者が待機状態にする指示を与えていると判断したとき、ステップＳ１０１へ処理を戻す。一方、切替処理部１０５は、ステップＳ１０７において、搭乗者が待機状態にする指示を与えていないと判断したとき、ステップＳ１０５へ処理を戻す。
【００４０】
ステップＳ１０８において、切替処理部１０５は、ステップＳ１０２と同様に、後述する低感度状態に遷移するか否かを判断する。切替処理部１０５は、ステップＳ１０８において、低感度状態遷移フラグが図示しない記憶部に記憶されているとき、低感度状態に遷移すると判断して、ステップＳ１０３へ処理を進める。一方、切替処理部１０５は、ステップＳ１０８において、低感度状態遷移フラグが図示しない記憶部に記憶されていないとき、低感度状態に遷移しないと判断して、ステップＳ１０５へ処理を進める。
【００４１】
次に、図２のフローチャートに示すステップＳ１０１の待機状態処理について図３を参照しながらより詳細に説明する。
【００４２】
本実施形態に係る切替処理部１０５は、図２に示すフローチャートから明らかなように、自車両のイグニッションスイッチがオンにされて処理を開始すると、ステップＳ１０１の待機状態処理を開始して待機状態となる。待機状態とは、搭乗者が図示しない操作部を操作して待機状態を解除する指示を与えているか否かを検知する状態である。そこで、切替処理部１０５は、ステップＳ１０１の処理を開始すると、まず始めに、ステップＳ１０１１の処理をする。ステップＳ１０１１において、切替処理部１０５は、図示しない操作部の操作を検知して、搭乗者が待機状態を解除する指示を与えているか否かを判断する。待機状態を解除する指示の一例としては、搭乗者が図示しない操作部を操作して放送番組の視聴の選択をすることによって与えられる放送番組を視聴する指示などが挙げられる。切替処理部１０５は、ステップＳ１０１１の処理において、搭乗者が待機状態を解除する指示をしたと判断したとき、ステップＳ１０１２へ処理を進める。一方、切替処理部１０５は、ステップＳ１０１１の処理において、搭乗者が待機状態を解除する指示を与えていない判断したとき、ステップＳ１０１１の処理を繰り返す。
【００４３】
尚、搭乗者が視聴する放送番組は自車両の車室内に設置されている図示しない表示部に表示される。しかしながら、図示しない表示部には、搭乗者が図示しない操作部を操作して現在地を表示する指示を与えたときなどに、自車両に搭載されているＧＰＳ（Global Positioning System）によって検知された現在地が表示される場合もある。さらに、図示しない表示部が所謂タッチパネルの機能を有する場合には、当該表示部に搭乗者が音楽を試聴するための操作画面や、エアコンを操作するための操作画面なども搭乗者が図示しない操作部を操作することによって表示される場合がある。本実施形態の待機状態には、上述したように放送番組を表示する図示しない表示部に放送番組が表示されずに他の表示がされている状態も含まれる。すなわち、放送番組を表示するための図示しない表示部に放送番組が表示されずに他の表示がされている場合にも、本実施形態に係る切替処理部１０５は、図示しない操作部の操作を検知して、搭乗者が放送番組を視聴する選択をするなど、待機状態を解除する指示を与えているか否かを判断する。つまり、本実施形態における待機状態には、自車両のイグニッションスイッチがオンにされたときに図示しない表示部に放送番組が表示されずに他の表示がされている状態、及び放送番組を表示している状態から放送番組を表示せずに他の表示をしている状態に遷移した状態なども含まれる。
【００４４】
ステップＳ１０１２において、低感度状態遷移フラグを図示しない記憶部に記憶させる。切替処理部１０５は、ステップＳ１０１３の処理を完了すると、ステップＳ１０１の待機状態処理を完了して、ステップＳ１０２へ処理を進める。
【００４５】
次に、図２のフローチャートに示すステップＳ１０３の低感度状態処理について図４を参照しながらより詳細に説明する。
【００４６】
低感度状態とは、放送データ処理部１０６で復号される放送データから得られる画面の画質、及び音声の音質などの情報の品質を最も高くするために、全てのフロントエンド処理部（本実施形態では、第１のフロントエンド処理部１０１〜第４のフロントエンド処理部１０４）で放送データを受信する状態である。また、低感度状態とは、全てのフロントエンド処理部から取得したそれぞれの誤り率に基づいて、全てのフロントエンド処理部で放送データを受信せずとも、放送データ処理部１０６で上述したように復号された放送データから得られる情報の品質が予め定められた基準を満たすか否かを判断する状態である。そこで、切替処理部１０５は、ステップＳ１０３の低感度状態処理を開始すると、まず始めに、ステップＳ３０１の処理をする。ステップＳ３０１において、切替処理部１０５は、放送データ受信指示を全てのフロントエンド処理部に与える。尚、切替処理部１０５が、放送データ受信指示に含ませる放送番組のチャンネルの指示は、図示しない記憶部に記憶されている放送番組のチャンネルの情報を読み出して当該指示として含ませるものとする。また、図示しない記憶部に記憶されている放送番組のチャンネルの情報は、搭乗者が図示しない操作部を操作してチャンネルを選択する度に更新されるものとする。さらに、図示しない記憶部に放送番組のチャンネルの情報が記憶されていない場合、切替処理部１０５は、予め定められた放送番組のチャンネルの指示を放送データ受信指示に含ませる。切替処理部１０５は、ステップＳ３０１の処理を完了すると、ステップＳ３０２へ処理を進める。
【００４７】
ステップＳ３０２において、切替処理部１０５は、全てのフロントエンド処理部のそれぞれから放送データを受信データとして取得するまで待機する。より具体的には、切替処理部１０５は、ステップＳ３０２において、全てのフロントエンド処理部のそれぞれから放送データを取得したか否かを判断する。例えば、切替処理部１０５は、上述したように復調されることによってフレームとなる放送データがフロントエンド処理部に送信される場合、ステップＳ３０２において、全てのフロントエンド処理部において復調されたフレームを１つずつ取得したか否かを判断する。切替処理部１０５は、ステップＳ３０２において、全てのフロントエンド処理部から放送データを受信データとして取得したと判断したとき、ステップＳ３０３へ処理を進める。一方、切替処理部１０５は、ステップＳ３０２において、全てのフロントエンド処理部から放送データを受信データとして取得していないと判断したとき、ステップＳ３０２の処理を繰り返す。
【００４８】
本実施形態に係る切替処理部１０５は、上述したように全てのフロントエンド処理部で放送データを受信せずとも、放送データ処理部１０６で上述したように復号された放送データから得られる情報の品質が予め定められた基準を満たすか否かを低感度状態で判断する。本実施形態に係る切替処理部１０５は、一例として、３つのフロントエンド処理部で放送データを受信することによって、上述したように放送データから得られる情報の品質が基準を満たすか否かを判断する。また、切替処理部１０５は、放送データから得られる情報の品質が前述の基準を満たすか否かを、それぞれのフロントエンド処理部から取得した誤り率に基づいて判断する。したがって、ステップＳ３０３において、切替処理部１０５は、ステップＳ３０２で全てのフロントエンド処理部のそれぞれから放送データと共に取得したそれぞれの誤り率の中から低い順番に３つの誤り率を選択し、選択した誤り率のそれぞれを取得させたフロントエンド処理部をそれぞれ認識する。
【００４９】
切替処理部１０５が、全てのフロントエンド処理部から取得した誤り率の中から低い順番に３つの誤り率を選択するのは、誤り率が相対的に低い場合には放送データ処理部１０６で復号された放送データから得られる情報の品質が相対的に高くなり、誤り率が相対的に高い場合には放送データ処理部１０６で復号された放送データから得られる情報の品質が相対的に低くなるからである。つまり、切替処理部１０５は、ステップＳ３０３において、低い順番に３つの誤り率を選択してそれぞれの誤り率を取得させた３つのフロントエンド処理部を認識することによって、高い品質の情報を得られる放送データを受信できるフロントエンド処理部を順番に３つ認識できる。切替処理部１０５は、ステップＳ３０３の処理を完了すると、ステップＳ３０４へ処理を進める。
【００５０】
ステップＳ３０４において、切替処理部１０５は、ステップＳ３０３で選択したフロントエンド処理部で受信した放送データから得られる情報の品質が基準を満たすか否かを判断するための判定値Ｌｅｒを算出する。切替処理部１０５は、判定値Ｌｅｒを算出するとき、誤り率に基づいて判定値Ｌｅｒを算出する。より具体的には、切替処理部１０５は、ステップＳ３０４において、ステップＳ３０３で選択した３つの誤り率を加算した値を判定値Ｌｅｒとして算出する。切替処理部１０５は、ステップＳ３０４の処理を完了すると、ステップＳ３０５へ処理を進める。
【００５１】
ステップＳ３０５において、切替処理部１０５は、ステップＳ３０３で選択したフロントエンド処理部で受信した放送データから得られる情報の品質が基準を満たすか否かを判断する。より具体的には、切替処理部１０５は、ステップＳ３０５において、ステップＳ３０４で算出した判定値Ｌｅｒが予め定められたしきい値ｔｈ１を超えるか否かを判断する。切替処理部１０５は、ステップＳ３０５において、判定値Ｌｅｒがしきい値ｔｈ１を超えないと判断したとき、ステップＳ３０６へ処理を進める。一方、切替処理部１０５は、ステップＳ３０５において、判定値Ｌｅｒがしきい値ｔｈ１を超えると判断したとき、ステップＳ３０７へ処理を進める。
【００５２】
ステップＳ３０６において、切替処理部１０５は、ステップＳ３０３で選択したフロントエンド処理部で放送データを受信することによって、基準を満たす品質の情報を得られる放送データを放送データ処理部１０６で復号できると判断して、品質が基準を満たすことを示す高感度状態遷移フラグを図示しない記憶部に記憶させる。切替処理部１０５は、ステップＳ３０６の処理を完了すると、ステップＳ３０８へ処理を進める。尚、切替処理部１０５が、ステップＳ３０６の処理をするとき、図示しない記憶部に後述する低感度状態遷移フラグが既に記憶されている場合には、既に記憶されている低感度状態遷移フラグを高感度状態遷移フラグで更新する。
【００５３】
ステップＳ３０７において、切替処理部１０５は、基準を満たす品質で情報を得られる放送データを受信できるフロントエンド処理部を図示しない記憶部に記憶する。より具体的には、切替処理部１０５は、ステップＳ３０７において、ステップＳ３０３で認識した３つの誤り率にそれぞれ対応するフロントエンド処理部を図示しない記憶部に記憶する。切替処理部１０５は、ステップＳ３０７の処理を完了すると、ステップＳ３０８へ処理を進める。切替処理部１０５が、ステップＳ３０７の処理をすることにより、基準を満たす品質で情報を得られる放送データを受信できるフロントエンド処理部を第１のフロントエンド処理部１０１〜第４のフロントエンド処理部１０４の中から選択して記憶させることができる。
【００５４】
ステップＳ３０８において、切替処理部１０５は、ステップＳ３０２で全てのフロントエンド処理部から取得した放送データを放送データ処理部１０６に取得させて処理させる。
【００５５】
次に、図５のフローチャートに示すステップＳ６０１の高感度状態処理について図５を参照しながらより詳細に説明する。
【００５６】
高感度状態とは、低感度状態において全てのフロントエンド処理部で放送データを受信せずとも基準を満たす品質の放送データを放送データ処理部１０６で得られると判断したときに、基準を満たす品質を得られる放送データを受信しながら、通信データの受信を並行する状態である。そこで、切替処理部１０５は、ステップＳ１０６の高感度状態処理を開始すると、まず始めに、ステップＳ６０１の処理をする。ステップＳ６０１において、切替処理部１０５は、第１のフロントエンド処理部１０１〜第４のフロントエンド処理部１０４の中から、ステップＳ３０８で記憶させた３つのフロントエンド処理部に対して放送データ受信指示を与える。さらに、切替処理部１０５は、ステップＳ６０１において、残りのフロントエンド処理部に対して通信データ受信指示を与える。切替処理部１０５は、ステップＳ６０１の処理を完了すると、ステップＳ６０２へ処理を進める。
【００５７】
尚、切替処理部１０５がステップＳ６０１で放送データ受信指示を与えるフロントエンド処理部とは、ステップＳ３０３で誤り率の低い順番に選択して認識した予め定められた数（本実施形態では３つ）のフロントエンド処理部である。そして、切替処理部１０５がステップＳ６０１において放送データ受信指示を与えるフロントエンド処理部とは、ステップＳ３０３で誤り率の低い順番に選択して認識したフロントエンド処理部、すなわち、最も低い誤り率を取得させたフロントエンド処理部が少なくとも含まれる。一方、切替処理部１０５がステップＳ６０１において通信データ受信指示を与えるフロントエンド処理部とは、ステップＳ３０３で誤り率の低い順番に選択して認識したフロントエンド処理部以外のフロントエンド処理部、すなわち、最も高い誤り率を取得させたフロントエンド処理部が少なくとも含まれる。
【００５８】
ステップＳ６０２において、切替処理部１０５は、ステップＳ６０１で放送データ受信指示を与えた全てのフロントエンド処理部から放送データを取得し、通信データ受信指示を与えたフロントエンド処理部から通信データを取得するまで待機する。より具体的には、切替処理部１０５は、ステップＳ６０２において、全てのフロントエンド処理部のそれぞれから放送データ、又は通信データを取得したか否かを判断する。例えば、切替処理部１０５は、上述したように復調されることによってフレームとなる放送データ、及び通信データがそれぞれ送信される場合、ステップＳ６０２において、全てのフロントエンド処理部から復調されたフレームを１つずつ取得したか否かを判断する。切替処理部１０５は、ステップＳ６０２において、全てのフロントエンド処理部から放送データ、又は通信データを取得したと判断すると、ステップＳ６０３へ処理を進める。一方、切替処理部１０５は、ステップＳ６０２において、全てのフロントエンド処理部から放送データ、又は通信データを取得していないと判断すると、ステップＳ６０２の処理を繰り返す。
【００５９】
尚、切替処理部１０５は、ステップＳ６０２において、ステップＳ６０１で放送データ受信指示を与えた３つのフロントエンド処理部のそれぞれから放送データを取得するときには、当該放送データと共に誤り率も上述したように取得する。
【００６０】
ステップＳ６０３において、切替処理部１０５は、低感度状態で選択したフロントエンド処理部で受信している放送データから得られる情報の品質が継続して基準を満たしているか否かを判断するための判定値Ｌｅｒを算出する。より具体的には、切替処理部１０５は、ステップＳ６０３において、ステップＳ６０２で３つのフロントエンド処理部から放送データと共に取得したそれぞれの誤り率をステップＳ３０４と同様に加算した値を判定値Ｌｅｒとして算出する。切替処理部１０５は、ステップＳ６０３の処理を完了すると、ステップＳ６０４へ処理を進める。
【００６１】
ステップＳ６０４において、切替処理部１０５は、低感度状態で選択したフロントエンド処理部で受信している放送データから得られる情報の品質が継続して基準を満たしているか否かを判断する。より具体的には、切替処理部１０５は、ステップＳ３０５の処理と同様に、ステップＳ６０３において算出した判定値Ｌｅｒが前述のしきい値ｔｈ１を超えるか否かを判断する。切替処理部１０５は、ステップＳ６０４において、判定値Ｌｅｒがしきい値ｔｈ１を超えないと判断したとき、ステップＳ６０６へ処理を進める。一方、切替処理部１０５は、ステップＳ６０４において、判定値Ｌｅｒがしきい値ｔｈ１を超えると判断したとき、ステップＳ６０５へ処理を進める。
【００６２】
ステップＳ６０５において、切替処理部１０５は、低感度状態で選択したフロントエンド処理部で受信している放送データから得られる情報の品質が基準を満たしていないと判断して、品質が基準を満たさないことを示す低感度状態遷移フラグを図示しない記憶部に記憶させる。尚、切替処理部１０５が、ステップＳ６０５の処理をするとき、図示しない記憶部に高感度状態遷移フラグが既に記憶されている場合には、既に記憶されている高感度状態遷移フラグを低感度状態遷移フラグで更新する。切替処理部１０５は、ステップＳ１０５の処理を完了すると、ステップＳ６０６へ処理を進める。
【００６３】
ステップＳ６０６において、切替処理部１０５は、ステップＳ６０２において取得したと判断した放送データを全て放送データ処理部１０６に取得させて処理させる。切替処理部１０５は、ステップＳ６０６の処理を完了すると、ステップＳ６０７へ処理を進める。
【００６４】
ステップＳ６０７において、切替処理部１０５は、ステップＳ６０２において取得したと判断した通信データを通信データ処理部１０７に取得させて処理させる。切替処理部１０５は、ステップＳ６０７の処理を完了すると、ステップＳ１０６の処理を完了して、ステップＳ１０７へ処理を進める。
【００６５】
以上が、本実施形態に係る切替処理部１０５の詳細な処理の説明である。尚、切替処理部１０５は、図示しない記憶部（ＲＯＭ（Read Only Memory）、ＲＡＭ（Random Access Memory）、ハードディスクなど）に格納された上述した処理を実施可能な所定のプログラムデータが、ＬＳＩ（Large Scale Integration）、ＣＰＵ（Central Processing Unit）或いはマイクロコンピュータなどによって解釈実行されることで実現されてもよい。ＣＰＵとは、自動車などの移動体に搭載されるＥＣＵ（Electric Control Unit）を構成するＣＰＵなどであってもよい。また、この場合、プログラムデータは、記憶媒体を介して記憶部内に導入されてもよいし、記憶媒体上から直接実行されてもよい。尚、記憶部とは、ＲＯＭやＲＡＭやフラッシュメモリなどの半導体メモリ、フレキシブルディスクやハードディスクなどの磁気ディスクメモリ、ＣＤ−ＲＯＭやＤＶＤやＢＤなどの光ディスクメモリ、及びメモリカードなどであってもよい。
【００６６】
次に、図６、及び図７を参照しながら、上述した切替処理部１０５の処理について説明する。
【００６７】
図６は、本実施形態に係る切替処理部１０５が図２〜図５に示す処理をすることによって遷移する状態を示す状態遷移図である。また、図７は、図６に示すそれぞれの状態と遷移条件とを対応づけて示す図である。以下、切替処理部１０５が図２〜図５に示す処理をすることによって、図７に示すそれぞれの遷移条件を満たしたときに、図６に示す状態遷移図にしたがって状態遷移することを説明する。
【００６８】
まず、待機状態からの状態遷移について説明する。本実施形態に係る切替処理部１０５は、例えば、自車両のイグニッションスイッチがオンにされるなどして電源が投入されると、上述したように、まず、ステップＳ１０１の待機状態処理を開始して、自車両の搭乗者から待機状態を解除する指示が与えられるまで待機する待機状態となる。そして、切替処理部１０５は、ステップＳ１０１１の処理で自車両の搭乗者から待機状態を解除する指示が与えられたと判断すると、図７に示す待機状態から低感度状態への遷移条件を満たすと判断し、低感度状態に遷移するためにステップＳ１０１２で低感度状態遷移フラグを図示しない記憶部に記憶する。これにより、ステップＳ１０１２の処理を完了してステップＳ１０１の待機状態処理を完了した切替処理部１０５は、ステップＳ１０２の処理で低感度状態に遷移すると判断して、ステップＳ１０３の低感度状態処理を開始して低感度状態に遷移できる。一方、切替処理部１０５は、ステップＳ１０１の待機状態処理を開始して待機状態となった後、ステップＳ１０１１の処理で待機状態を解除する指示が与えられていないと判断したときには、図７に示す待機状態から待機状態への遷移条件を満たすと判断し、ステップＳ１０１１の処理を繰り返してステップＳ１０１の待機状態処理を継続することによって、待機状態から再び待機状態に遷移する。
【００６９】
次に、低感度状態からの状態遷移について説明する。本実施形態に係る切替処理部１０５は、ステップＳ１０３の低感度状態処理を開始すると、上述したように放送データ処理部１０６で復号される放送データから得られる情報の品質を最も高くするために、全てのフロントエンド処理部で放送データを受信する低感度状態となる。また、切替処理部１０５は、低感度状態では、上述したように全てのフロントエンド処理部で放送データを受信せずとも、基準を満たす品質の情報を得られる放送データを受信できるか否かを判断する。切替処理部１０５は、低感度状態処理を開始して、ステップＳ３０１から処理を進め、ステップＳ３０５の処理においてステップＳ３０３の処理で認識したフロントエンド処理部（本実施形態では、３つのフロントエンド処理部）で放送データを受信することによって放送データ処理部１０６で得られる情報の品質が基準を満たすと判断したときに、図７に示す低感度状態から高感度状態への遷移条件を満たすと判断する。ステップＳ３０５において情報の品質が基準を満たすと判断すると、切替処理部１０５は、高感度状態へ遷移するためにステップＳ３０６へ処理を進めて、低感度状態処理を開始するときに図示しない記憶部に既に記憶されている低感度状態フラグを高感度状態フラグに更新して記憶する。これにより、ステップＳ１０３の処理を完了した切替処理部１０５は、ステップＳ１０４の処理を経てステップＳ１０５の処理で高感度状態に遷移すると判断して、ステップＳ１０６の高感度状態処理を開始して高感度状態に遷移できる。
【００７０】
また、切替処理部１０５は、ステップＳ１０３の低感度状態処理を開始して低感度状態となった後、ステップＳ３０５の処理へ処理を進め、ステップＳ３０３の処理において選択したフロントエンド処理部で受信した放送データから放送データ処理部１０６で得られる情報の品質が基準を満たさないと判断したときには、図７に示す低感度状態から低感度状態への遷移条件を満たすと判断する。切替処理部１０５は、ステップＳ３０５の処理において低感度状態から低感度状態への遷移条件を満たすと判断したときには、図示しない記憶部に低感度状態遷移フラグを記憶させることなくステップＳ３０８の処理を完了してステップＳ１０３の低感度状態処理を完了する。これは、切替処理部１０５が、ステップＳ１０３の低感度状態処理を開始するときには、図示しない記憶部には既に低感度状態遷移フラグが記憶されているからである。これにより、切替処理部１０５は、低感度状態から低感度状態への遷移条件を満たすと判断したときには、ステップＳ３０８の処理を完了してステップＳ１０３の処理を完了した後、ステップＳ１０４、ステップＳ１０５、及びステップＳ１０７の処理を経て、ステップＳ１０８において低感度状態に遷移すると判断し、低感度状態から低感度状態へ遷移できる。
【００７１】
また、切替処理部１０５は、ステップＳ１０３の低感度状態処理を完了した後、ステップＳ１０４において待機状態にする指示が与えられていると判断したときには、図７に示す低感度状態から待機状態への遷移条件を満たすと判断し、処理をステップＳ１０１の待機状態処理へ戻して低感度状態から待機状態へ遷移できる。
【００７２】
次に、高感度状態からの状態遷移について説明する。本実施形態に係る切替処理部１０５は、ステップＳ１０６の高感度状態処理を開始すると、上述したように低感度状態で選択したフロントエンド処理部で基準を満たす品質を得られる放送データを受信しながら、通信データの受信を並行する高感度状態となる。また、切替処理部１０５は、高感度状態では、上述したように低感度状態で選択したフロントエンド処理部で受信した放送データから得られる情報の品質が継続して基準を満たしているか否かの判断もする。切替処理部１０５は、高感度状態処理を開始してステップＳ６０１から処理を進め、ステップＳ６０４の処理において、ステップＳ６０１の処理で放送データ受信指示を与えたフロントエンド処理部から取得した放送データを放送データ処理部１０６で復号して得られる情報の品質が継続して基準を満たさないと判断したときに、図７に示す高感度状態から低感度状態への遷移条件を満たすと判断し、低感度状態へ遷移するためにステップＳ６０５へ処理を進めて、高感度状態処理を開始するときに図示しない記憶部に既に記憶されている高感度状態フラグを低感度状態フラグに更新して記憶する。これにより、切替処理部１０５は、ステップＳ６０５〜ステップＳ６０７の処理を完了してステップＳ１０６の処理を完了し、ステップＳ１０７の処理を経てステップＳ１０８の処理で低感度状態に遷移すると判断して、ステップＳ１０３の処理の低感度状態処理を開始して高感度状態から低感度状態に遷移できる。
【００７３】
また、切替処理部１０５は、ステップＳ１０６の高感度状態処理を開始して高感度状態となった後、処理をステップＳ６０４へ進め、ステップＳ６０１の処理において放送データ受信指示を与えたフロントエンド処理部、すなわち、低感度状態で選択したフロントエンド処理部から取得した放送データから得られる情報の品質が継続して基準を満たすと判断したときには、図７に示す高感度状態から高感度状態への遷移条件を満たすと判断する。切替処理部１０５は、ステップＳ６０４の処理において高感度状態から高感度状態への遷移条件を満たすと判断したときには、図示しない記憶部に高感度状態遷移フラグを記憶させることなくステップＳ６０６〜ステップＳ６０７の処理を完了してステップＳ１０６の処理を完了する。これは、切替処理部１０５が、ステップＳ１０６の高感度状態処理を開始するときには、図示しない記憶部には既に高感度状態遷移フラグが記憶されているからである。これにより、切替処理部１０５は、高感度状態から高感度状態への遷移条件を満たすと判断したときには、ステップＳ６０６〜ステップＳ６０７の処理を完了してステップＳ１０６の処理を完了した後、ステップＳ１０７、及びステップＳ１０８の処理を経て、ステップＳ１０５において高感度状態に遷移すると判断し、高感度状態から高感度状態へ遷移できる。
【００７４】
また、切替処理部１０５は、ステップＳ１０６の高感度よりを完了した後、ステップＳ１０７において待機状態を解除する指示が与えられていると判断したときには、図７に示す高感度状態から待機状態への遷移条件を満たすと判断し、処理をステップＳ１０１の待機状態処理へ戻して高感度状態から待機状態へ遷移できる。
【００７５】
以上が、本実施形態に係る切替処理部１０５が図２〜図５に示す処理をすることによって、図７に示す遷移条件を判断して、図６に示す状態遷移図にしたがって状態遷移することの説明である。
【００７６】
本実施形態に係る切替処理部１０５は、低感度状態において全てのフロントエンド処理部に受信させた受信データ（放送データ）を放送データ処理部１０６に取得させて処理させる。そして、切替処理部１０５は、高感度状態では、３つのフロントエンド処理部に受信させた受信データ（放送データ）を放送データ処理部１０６に取得させて処理させ、残りのフロントエンド処理部に受信させた受信データ（通信データ）を取得させる処理部を通信データ処理部１０７に切り替えて処理させる。また、切替処理部１０５は、高感度状態から低感度状態に遷移したとき、高感度状態において残りのフロントエンド処理部に受信させていた受信データ（通信データ）を取得させる処理部を放送データ処理部１０６に切り替えて処理させる。つまり、本実施形態に係る切替処理部１０５は、フロントエンド処理部に受信させる受信データの種類に応じて、それぞれのフロントエンド処理部で受信した受信データを取得させる処理部を放送データ処理部１０６と通信データ処理部１０７との間で切り替えて処理させることができる。
【００７７】
以上が、本発明の第１の実施形態に係る受信装置１の説明である。本実施形態に係る受信装置１は、低感度状態において全てのフロントエンド処理部から放送データを受信して、全てのフロントエンド処理部で放送データを受信せずとも、基準を満たす品質の情報を得られる放送データを受信できると判断したときには、３つのフロントエンド処理部を記憶して、高感度状態へ遷移する。そして、受信装置１は、高感度状態において、３つのフロントエンド処理部で放送データを受信しながら、残りのフロントエンド処理部で通信データを受信する。つまり、本実施形態に係る受信装置１によれば、全てのフロントエンド処理部で放送データを受信せずとも、基準を満たす品質の情報を得られる放送データを受信できるときには、放送データと通信データとの受信を並行できる。
【００７８】
また、本実施形態に係る受信装置１によれば、高感度状態では基準を満たす品質の情報を得られる放送データを受信できないときには、低感度状態に遷移して全てのフロントエンド処理部で放送データを受信することにより、最も高い品質の情報を得られる放送データを受信できる。
【００７９】
一方、高感度状態で基準を満たす品質の情報を得られる放送データを受信できるとき、すなわち、ステップＳ６０４の判断で判定値Ｌｅｒがしきい値ｔｈ１未満であると判断されたときには、本実施形態に係る受信装置１は、全てのフロントエンド処理部に対して放送データ受信指示、或いは通信データ受信指示を与えることなく高感度状態を維持する。つまり、本実施形態に係る受信装置１によれば、高感度状態で基準を満たす品質の情報を得られる放送データを受信できるときには、高感度状態処理を開始したときに放送データ受信指示を与えられたフロントエンド処理部が継続して放送データを受信でき、高感度状態処理を開始したときに通信データ受信指示を与えられたフロントエンド処理部が継続して通信データを受信できる。
【００８０】
また、本発明に係る受信装置１によれば、放送データと、通信データとの受信を同時に並行するために、放送データを受信するテレビシステムに加えて、通信データを受信する通信システムをさらに自車両に追加して搭載することなく、１つの低コストな受信装置を自車両に搭載するだけで放送データと通信データとを同時に並行して受信できる。
【００８１】
図８は、本実施形態に係る受信装置１が受信する放送データの送信形態の一例を示す図である。図８は、放送データの一例として、地上波デジタルテレビジョン放送をする放送局から送信される放送データ（以下、ＤＴＶデータと称する）の送信形態の一例を示している。本実施形態に係る放送データは、図８に示すように放送局から基地局を介して自車両に搭載される受信装置１のフロントエンド処理部で受信される。
【００８２】
そして、図８に一例として示す送信形態で送信されるＤＴＶデータの送信範囲の一例を示す図が図９Ａ、及び図９Ｂである。ＤＴＶデータは、図９Ａ、及び図９Ｂに示すように、基地局に相対的に近い位置では１つのＤＴＶデータを構成する全てのデータ（所謂フルセグメントデータ）を高感度で受信でき、フルセグメントデータに応じた基準を満たす品質の情報を得られる。一方、図９Ａ、及び図９Ｂに示すように、基地局に相対的に遠い位置では１つのＤＴＶデータを構成するフルセグメントデータを高感度で受信することはできず、低感度で一部のデータ（所謂ワンセグメントデータ）のみを受信できる。図９Ａ、及び図９Ｂを参照すると明らかなように、受信装置１が自車両に搭載される場合には、自車両の移動に伴って基地局との相対距離が変化するため、ＤＴＶデータの受信感度が変化する。
【００８３】
そこで、ＤＴＶデータを受信するために本実施形態に係る受信装置１を自車両に搭載することにより、例えば、基地局から相対的に近い位置に自車両が移動して、全てのフロントエンド処理部でＤＴＶデータを受信せずとも、フルセグメントデータを高感度で受信して基準を満たす品質で情報を得られる場合には、高感度状態に遷移してフルセグメントデータの受信と通信データの受信とを並行できる。
【００８４】
一方、本実施形態に係る受信装置１を自車両に搭載することにより、例えば、基地局から相対的に近い位置から遠い位置に自車両が移動し、ＤＴＶデータを高感度で受信できる状態から低感度で受信する状態に変化するとき、及びＤＴＶデータを低感度で受信している状態など、ワンセグメントデータを低感度でしか受信できず、基準を満たす品質で情報を得られない場合には、低感度状態に遷移して放送データを全てのフロントエンド処理部で受信する。これにより、本実施形態に係る受信装置１を搭載する自車両がワンセグメントデータを低感度で受信して基準を満たす品質でしか情報を得られない位置に移動したときには、全てのフロントエンド処理部でＤＴＶデータを受信することにより、可能な限り最高の品質で情報を得られるＤＴＶデータを受信できる。
【００８５】
尚、第１の実施形態に係る切替処理部１０５が、高感度状態において放送データの受信と共に通信データの受信も並行するのは、搭乗者が図示しない操作部を操作することによって通信データの受信を既に指示していた場合などである。搭乗者が図示しない操作部で受信を指示する通信データとしては、例えば、搭乗者が自車両の車室内で聞く音楽データなどが一例として挙げられる。本実施形態に係る切替処理部１０５は、放送データと通信データとの受信を並行することによって、搭乗者が受信することを既に指示していた音楽データなどを、搭乗者が放送番組を視聴している間に受信し、視聴が終了したときに受信した音楽データを聞ける状態にできる。また、切替処理部１０５が、高感度状態に遷移したときに、搭乗者が通信データを受信する指示を既に与えていない場合には、高感度状態でも全てのフロントエンド処理部に対して放送データ受信指示を与え、低感度状態と同様に判定値Ｌｅｒを算出してもよい。また、搭乗者が通信データを受信する指示を既に与えていない場合には、低感度状態において高感度状態への遷移条件を満たすと判断しても再び低感度状態に遷移するようにしてもよい。また、第１の実施形態に係る切替処理部１０５は、図示しない他の処理部から通信データの受信を要求されたときに、高感度状態において放送データの受信と共に要求された通信データの受信を並行してもよい。
【００８６】
また、第１の実施形態に係る切替処理部１０５は、低感度状態処理において３つのフロントエンド処理部で基準を満たす品質の情報を得られる放送データを受信できるか否かを判断していた。しかしながら、他の一実施形態に係る切替処理部１０５は、例えば、３つのフロントエンド処理部で基準を満たす品質の情報を得られる放送データを受信できると判断した後、次に、２つのフロントエンド処理部で基準を満たす品質の情報を得られる放送データを受信できるか否かを判断するなど、より少ないフロントエンド処理部で基準を満たす品質の情報を得られる放送データを受信できるか否かを判断するようにしてもよい。そして、例えば、２つのフロントエンド処理部で基準を満たす品質の情報を得られる放送データを受信できると判断したときには、当該２つのフロントエンド処理部に対して放送データ受信指示を与えて放送データを受信させ、残りの２つのフロントエンド処理部に対して通信データ受信指示を与えて通信データを受信させるなど、放送データと通信データとの受信を並行するときにより多くの複数のフロントエンド処理部で通信データを受信するようにしてもよい。
【００８７】
また、上述したように放送データと通信データとの受信を並行するときにより多くの複数のフロントエンド処理部で通信データを受信させる場合に、これらの複数のフロントエンド処理部のそれぞれで、互いに異なる通信方式で送信される通信データをそれぞれ受信するようにしてもよい。
【００８８】
また、第１の実施形態に係る受信装置１は、第１のフロントエンド処理部１０１〜第４のフロントエンド処理部１０４の４つのフロントエンド処理部を備えるものとした。しかしながら、他の一実施形態に係る受信装置１は、３以下のフロントエンド処理部を備えていてもよいし、５以上のフロントエンド処理部を備えていてもよい。
【００８９】
また、第１の実施形態に係る受信装置１は、低感度状態、及び高感度状態のそれぞれにおいて放送データを受信するフロントエンド処理部から誤り率を取得し、取得した誤り率に基づいて算出した判定値Ｌｅｒとしきい値ｔｈ１とを比較してから、放送データ、又は通信データを、放送データ処理部１０６と通信データ処理部１０７とのそれぞれに取得させて処理させていた。しかしながら、他の一実施形態に係る受信装置１は、取得した誤り率に基づいて算出した判定値Ｌｅｒとしきい値ｔｈ１とを比較することと、それぞれのフロントエンド処理部から取得した放送データ、或いは通信データを放送データ処理部１０６と通信データ処理部１０７とのそれぞれに取得させて処理させることとを並行してもよい。これにより、誤り率に基づいて判定値Ｌｅｒを算出してから、放送データ、或いは通信データを放送データ処理部１０６と通信データ処理部１０７とのそれぞれに取得させて処理させるまでの時間を短縮することができる。
【００９０】
また、第１の実施形態に係る受信装置１では、取得した誤り率を加算して判定率Ｌｅｒを算出するものとした。しかしながら、他の一実施形態に係る受信装置１では、取得した誤り率の平均値を判定値Ｌｅｒとして算出するなど、誤り率に基づく他の手法を用いて判定値Ｌｅｒを算出してもよい。
【産業上の利用可能性】
【００９１】
本発明によれば、受信データの受信感度に基づいて受信部で受信する受信データを切り替えることができ、例えば、自動車などの移動体に搭載される受信装置などに利用できる。
【符号の説明】
【００９２】
１    受信装置
１０１〜１０４    フロントエンド処理部
１０５    切替処理部
１０６    放送データ処理部
１０７    通信データ処理部
【図１】
2011023963.tif 000003
【図２】
2011023963.tif 000004
【図３】
2011023963.tif 000005
【図４】
2011023963.tif 000006
【図５】
2011023963.tif 000007
【図６】
2011023963.tif 000008
【図７】
2011023963.tif 000009
【図８】
2011023963.tif 000010
【図９Ａ】
2011023963.tif 000011
【図９Ｂ】
2011023963.tif 000012